(57)【要約】      （修正有）【課題】洗浄後の牛乳パック等を、手間をかけず、必要最小限の空間を利用して、自然乾燥させることを可能とするパック用自然乾燥器具を提供する。【解決手段】先端が尖った棒状の突起部を有する構造物を、該突起部が壁面に対して垂直になるように固定し、該突起部に洗浄後の牛乳パック等を突き刺したまま吊して放置することができるようにする。【選択図】図１
0003174271.tif 000002
【実用新案登録請求の範囲】
【請求項１】
空になった牛乳パック等を洗浄後に自然乾燥させるための器具であって、先端が尖った棒状の突起部を有する構造物を、該突起部が壁面に対して垂直になるように固定し、該突起部に洗浄後の牛乳パック等を突き刺したまま吊して放置することができるようにしたもの。
【請求項２】
空になった牛乳パック等を洗浄後に自然乾燥させるための器具であって、洗浄後の牛乳パック等を突き刺したまま吊して放置するための、先端が尖った釘状の突起物を壁面に対して垂直に固定したもの。
【請求項３】
空になった牛乳パック等を洗浄後に自然乾燥させるための器具であって、粘着材もしくは接着剤または釘もしくはネジで壁面に固定される板状の基板部と、該基板部に対して垂直方向に突起した先端が尖った棒状の突起部とを有し、該突起部へ洗浄後の牛乳パック等を突き刺したまま吊して放置することができるようにしたもの。
【請求項４】
請求項３に記載された器具であって、該突起部が頭部の広い釘の形状をしていて、該突起部を、該基板部に開けた、該突起部の胴部を貫通させるのに必要充分な大きさの穴に貫通させ、該突起部の頭部を壁面に押しつけて固定する形となるように、該基板部を壁面に固定する構造を持つことを特徴とするもの。
【請求項５】
請求項４に記載された器具であって、該基板部が、該穴自体の構造により該突起物の方向を固定することができる程度に、充分な厚みを持ち、充分に固い素材でできていることを特徴とするもの。
【請求項６】
請求項４に記載された器具であって、該基板部が、片面に粘着材を具備した粘着テープであることを特徴とするもの。
【請求項７】
請求項１、請求項３〜６のいずれかに記載された器具であって、該突起部の少なくとも一部に刃が具備されていることを特徴とするもの。
【考案の詳細な説明】
【技術分野】
【０００１】
本発明は、洗浄した使用済みの牛乳パック等を自然乾燥させるための器具に関する。
【背景技術】
【０００２】
今日の社会では、天然資源の有効活用を促進する必要により、使用済みの牛乳パック等（よく知られた紙製の牛乳パック、もしくはこれと同様の形状をした、主として液体、特に飲料を格納するための容器、またはペットボトル）を回収して再利用する「リサイクル」のしくみが確立されている。その最初の工程として、一般の消費者には、牛乳パック等の内部を洗浄し、乾燥させ、必要に応じて、なかを切り開いたり、包装材料を取り除いたりしたうえで、回収に応じるよう求められる。しかしながらこの工程を実施する者（代表的には家庭の主婦など）にとって、洗浄後の牛乳パック等を手際よく乾燥させるのは、意外に難しいことで、一般家庭の台所の例えば流し台の周囲が乾燥中の牛乳パック等で溢れかえるのはよくあることだった。これを効率よく乾燥させることができれば、流し台の周囲が大幅にスッキリと片付くはずであるが、空間を無駄に散らかすことなく、手間をかけずにこの手続きを処理することのできる決定的な方法は開発されてこなかった。
【０００３】
牛乳パック等を乾燥させるための考案が生み出されたことは過去にもあった。例えば、特許文献１では、充分な長さの「容器挿入棒体」を上方向に垂直に立てて固定し、その上からリサイクル容器を被せるようにして乾燥させることのできるしくみが提示されている。この方法では、缶や瓶を含む大抵のリサイクル容器を手っ取り早く乾燥させることができるいっぽうで、容器の一つひとつを乾燥させるために、比較的大袈裟な設備を必要とし、そのために一定の空間を確保しなければならなかった。
【０００４】
また特許文献２では、「水切り孔を有する基盤体に突起棒を設け、かつ壁面へ取り付ける手段を有する」しくみが提示されている。この方法では、特許文献１のものと同様、大抵のリサイクル容器に用いることはできるが、容器の開口部の大部分が塞がれてしまう場合も考えられるため、乾燥に時間を要するし、特許文献１の場合以上に多くの設備と空間を必要とする。
【０００５】
さらに特許文献３では、「切り開いた牛乳パックの幅よりも、やや大きめの幅を有する風通しのよいかご」を壁面に固定し、カゴの全面に切り開いた牛乳パックを干すためのクリップを複数個備えた器具が提示されている。洗浄後に切り開いた牛乳パックを迅速に乾燥させ、その後保存しておく目的において、効果的に機能するものであると思われる。だが洗浄した直後の牛乳パックをいちいち切り開き、切り開いた牛乳パックの恐らく２箇所をクリップで挟まなくてはいけない工程は、意外と面倒だ。特に濡れた状態でハサミを入れて切り開こうとすると、ハサミが傷むのではないかと気になるし、実際には傷まなかったとしても、気持ち悪さの残る手続きではある。もちろん、まとめて処理しようとすると、汚れたまま乾燥してしまって、汚れが落ちにくくなったりして、本末転倒になる。
【０００６】
そして特許文献４には、各種容器の開口部を下向きに固定することのできる器具に、物干し竿に吊り下げ可能なフックを備えさせたものが提示されている。しかし、容器を固定するのが面倒であるうえに、大袈裟な器具のために余計な空間を必要とするという問題はここでも同じように当てはまる。
【０００７】
以上全ての考案に対して当てはまる問題は、容器を乾燥させるための器具が大掛かりであり、使用しないときにさえ非常に多くの空間を必要とするということだ。台所の流し台周りの貴重な台上スペースをわざわざこのために確保しておくのは勿体ない限りだ。もちろんこれらの器具を屋外など別の場所に設置することは可能であるが、恐らく台所仕事は可能な限り台所内で完結させたいというのが一般的な台所仕事従事者の心情であり、わざわざ別の場所まで干しにいかなければならないのは面倒極まりない。このように、従来は洗浄後の牛乳パック等を、手間をかけず、必要最小限の空間を利用して、自然乾燥させることを可能とする決定的な発明または考案は実現されてこなかった。
【先行技術文献】
【特許文献】
【０００８】
【特許文献１】特開２００２−２２３９２８
【特許文献２】特開２００２−１７６４９
【特許文献３】特開２００１−１７８６１４
【特許文献４】特開２００９−２２５８４６
【考案の概要】
【考案が解決しようとする課題】
【０００９】
本考案が解決しようとする課題は、先の背景技術のなかで説明された問題を解決することであり、洗浄後の牛乳パック等を、手間をかけず、必要最小限の空間を利用して、自然乾燥させることを可能とする、牛乳パック等乾燥用器具を実現することである。
【課題を解決するための手段】
【００１０】
請求項１に記載の考案は、空になった牛乳パック等を洗浄後に自然乾燥させるための器具であって、先端が尖った棒状の突起部を有する構造物を、該突起部が壁面に対して垂直になるように固定し、該突起部に洗浄後の牛乳パック等を突き刺したまま吊して放置することができるようにしたものである（図１、図２）。
【００１１】
先端が尖った棒状の突起部（または先端が尖った釘状の突起物）を壁面に対して垂直に固定することは、発明を構成する重要な要件であり、そうしておくことで、牛乳パックのごとき表面の比較的固い素材のものを押しつけたときに、突起部（または突起物、以下同様）の先端が押しつけられた素材の表面を滑ったり、突起部を歪ませたりせず、片腕の必要充分な力で瞬時に突き刺すことでが可能となる。これがちゃんと垂直になっていないと、突起部がその表面を滑り、突起部をしならせながらこれにまっすぐ突き刺さるのとは別の成分の力がますます強くはたらくようになり、突起部を大きく歪ませてしまうことになる恐れがある。また力を加える方向を意識的に調整しようとしても、設計によっては突起部がクルクルと回転し、力を加えるべき方向とポイントがうまく定まらないなどの問題も生ずる（これを防ぐための工夫としては、突起部の頭部を円以外の形状、例えば四角形や三角形にしておくことや、頭部の壁面側に滑り止め材を具備させておくことなどが考えられる）。従って、完全な垂直は困難であるとしても、釘状の突起部は壁面に対し可能な限り垂直に固定されていることが望ましい。ただし、細部の設計においては、突き刺した牛乳パック等が滑り落ちるのを防止する目的において、一層充分な強度が確保される設計を選んだうえで、突起部の先端がここに記載した問題を発生させない程度に若干上方に向けておくことや、突起部の形状や姿勢に幾らかの工夫を加えること（例えば、該突起部が微妙なＳ字カーブを描いていて、頭部に近い胴部と先端に近い胴部を水平姿勢に、またその間の胴部中央のあたりが先端を幾分高く押し上げる方向に傾斜した姿勢に維持されるようにしておく。このとき突起部の素材として弾力を有するものを選んでおけば、胴部中央が牛乳パック等を突き刺す瞬間や抜き取る瞬間に若干のしなりを示し、気持ちよく突き刺さるまたは排除されるようにすることができる場合がある）も、設計上の選択肢としては視野に入る。それでも利用者の牛乳パック等を突き刺そうとしたり抜き取ろうとしたりするときの力がスムーズに作用するためには、突起部全体が壁面に対しほぼ垂直と見做すことができる姿勢を維持していることが不可欠な要件となる。なお、このことは請求項２〜７に記載の全ての考案に該当する事柄であるが、以下の文中での繰り返しは省略する。
【００１２】
請求項２に記載の考案は、空になった牛乳パック等を洗浄後に自然乾燥させるための器具であって、洗浄後の牛乳パック等を突き刺したまま吊して放置するための、先端が尖った釘状の突起物を壁面に対して垂直に固定したものである。
【００１３】
請求項３に記載の考案は、空になった牛乳パック等を洗浄後に自然乾燥させるための器具であって、粘着材もしくは接着剤または釘もしくはネジで壁面に固定される板状の基板部と、該基板部に対して垂直方向に突起した先端が尖った棒状の突起部とを有し、該突起部へ洗浄後の牛乳パック等を突き刺したまま吊して放置することができるようにしたものである（図３、図４）。
【００１４】
請求項４〜６に記載の考案も、請求項３に記載の考案を実現する細部の構造をさらに特定したものであり、そこでは、突起部と基板部が別々の部品として存在し、これらの部品を組み合わせることによって目的とする器具を構成することが想定されているが、最初から基板部と突起部を具備する一体の構造物として形成されたものを壁面に固定することによって同等の機能を有する器具を実現することも可能である（図５、図６）
【００１５】
請求項４に記載の考案は、請求項３に記載された器具であって、該突起部が頭部の広い釘の形状をしていて、該突起部を、該基板部に開けた、該突起部の胴部を貫通させるのに必要充分な大きさの穴に貫通させ、該突起部の頭部を壁面に押しつけて固定する形となるように、該基板部を壁面に固定する構造を持つことを特徴とするものである。このとき、「頭部の広い釘の形状」をした突起部の「頭部」、「胴部」、「先端」の用語は、釘の一部を特定する一般的な用語に準ずるものである（図１０、他の請求項にかかわる説明のなかでこれらの用語が使用されている場合も同様とする）。
【００１６】
なお請求項４に記載の考案は、請求項２に記載の考案を実施するための、より具体的な構造を特定した、最もシンプルな形態のひとつである（請求項２に記載の考案を実施する構造としては、他にも幾らでも考えられるが（例えば２枚の基板を併せた構造物の間に釘状の突起物の頭部を収容する形態など）、そうした構造を考案すること自体は当業者にとって容易な手続きであるため、ここでの記述は省略する）。
【００１７】
具体的な設計においては、釘状の突起物の頭部をぴったりと固定するために、必要に応じて、該基板部の壁面に固定される側の穴の周囲の箇所に、該頭部を収容するのに必要充分な深さと広さだけ削っておくなどの工夫が期待される。また少し余計に削ったうえで、間にゴムなどの弾力素材を挟み込むようにする方法もありうる。
【００１８】
請求項５に記載の考案は、請求項４に記載された器具であって、該基板部が、該穴自体の構造により該突起物の方向を固定することができる程度に、充分な厚みを持ち、充分に固い素材でできていることを特徴とするものである。
【００１９】
このとき、該基板部に強度（特に固さ）が充分な素材（アクリル等）を使用すること、該基板部の厚みを充分に確保すること、該基板部に開ける穴を該突起物の胴部を貫通させるのに必要充分な大きさにしておくこと、及び釘状の突起物として頭部の広いものを使用すること（設計次第であるが、必ずしもこれらの条件の全てが満たされる必要はない）の意義は、必ずしも垂直でない方向の力で指す場合であっても、突起物の軸の方向とは違った成分の力が混ざっていることにより、釘状の突起物が歪んでしまうのを防止するためである。というのも、突起物の方向が力がかかる最初の瞬間に歪み始めることで、次の瞬間以降は、突起物の軸と同じでない方向にはたらく力の成分がますます大きくなるため、一定の歪みが生じるよりも先に、突起物の先端が牛乳パック等の表面素材を貫通することが必要だからである。
【００２０】
請求項６に記載の考案は、請求項４に記載された器具であって、該基板部が、片面に粘着材を具備した粘着テープであることを特徴とするものである（図７）。
【００２１】
この考案の最大の利点は、目的とする器具を容易かつ即席の材料で実現することができる点にある。例えば、頭部の広い釘の形状をした突起部（例えば、大頭釘や馬鹿でかい画鋲）のうえから、強度が充分な粘着テープを貼り付けるだけで容易に実現できる（突起部の先端が尖っていることを利用して、粘着テープに穴を開けてそのまま押しつけて壁に貼り付ければよく、粘着テープは空っぽの牛乳パック等の重みで穴が広がらない程度の強度があれば充分だ）。粘着テープの強度に問題がある場合は、穴が広がらない程度の強度がある薄い素材を、適度な大きさに切り取られた粘着テープの中央部に貼り付け、突起部がこれを貫くようにして設置することもできる（粘着テープが突起部の面積の広い頭部にも粘着することを考慮すれば、通常この構造は必要ではなく、むしろ逆効果になる場合もある）。
【００２２】
このとき（これは設計次第で請求項１〜５においても該当するが、特に請求項６に強く当てはまることとして）、釘状の突起物の頭部の壁面に面する側の表面に、さらに粘着材や滑り止め素材を具備すると、効果的に機能する場合がある。牛乳パック等を壁面に対して必ずしも真っ直ぐに垂直でない方向の力で刺そうとしたとき、垂直方向の力を差し引いた力の成分が、突起物またはその頭部を壁面に対して水平方向に滑らせる力がはたらき、該突起物を固定するための基板素材の強度が充分でない場合には、これを破損させてしまう恐れがある。こうしたとき、該粘着材や滑り止め素材が摩擦力などにより、該突起物またはその頭部を滑らせる力を吸収し、安定した状態で刺すことが可能となる。
【００２３】
請求項７に記載の考案は、請求項１、請求項３〜６のいずれかに記載された器具であって、該突起部の少なくとも一部に刃が具備されていることを特徴とするものである（図８、図９）。
【００２４】
釘状の突起物の少なくとも一部（例えば、皿に近い部分の特定の側面）に刃を具備させておくと、根本まで挿した牛乳パック等を挿した箇所からそのまま切り開いていくことができるようにすることもできる。ただし、この際には突起物の軸に対して垂直方向の力を加えることになるので、充分な強度を確保するために、素材や形状などの面での工夫が必要となる。また単なる釘状の突起物よりも、その側面の少なくとも一部が刃になっているもののほうがはるかに危険なので、安全面での一層の配慮も必要となる。さらに、このようにしておくことにより、食品などの包装容器でハサミを使わなければうまく開けられないものを突き刺し、引き裂くことで、これをうまく開封する、という目的においても利用することができる。これは本発明の直接的な課題からそれるように思われるかもしれないが、同一の器具を複数の目的で兼用できるようにしておくことは、台所のなかの限られたスペースを有効に活用するうえで極めて重大な意義を有する。他にも、牛乳パックを干していないときに、例えばこの器具を用いて一夜干しにした食品を、その場で適当な大きさにカットするなど、本来であれば包丁とまな板を用いて実施する簡単な作業を、これらの器具を使わずにこなすことができる、など、工夫次第で本考案に記載された器具を応用した様々な使用例が生み出されるであろうことが推測される。
【００２５】
なお本考案を具体的に実現するに当たっては、細部において幾つかの工夫を施す余地がある。
【００２６】
突き刺した牛乳パック等が、風圧や振動などの影響を受け、意図せぬタイミングで抜け落ちないように、釘状の突起物の一部または全部に、滑り止め処理を施しておくといった工夫を加えることも可能である。滑り止め処理には様々な方法を適用しうるものであり、例えば、ざらざら或いはぎざぎざとした小さな凹凸を与える方法のほか、必要に応じて突起物の一部に凹みを準備したうえで、滑り止め効果のある別の素材（例えば、ゴム、シリコン、各種樹脂等）を付着させる方法を適用することも可能である。このような加工が面倒な場合は、ここに用いる釘をスクリュー釘に変えるだけでも一定の滑り止め効果が期待できる。ただしこの設計を採用する場合には、利用者が牛乳パック等を突き刺す力や抜き取る力が余計に必要となる可能性があることや、抜き取るときの力で壁面に対する基板部の固定が緩んでしまったり外れてしまったりしないように充分な強度をもって固定されている必要があること、などを考慮する必要がある。
【００２７】
突起物または突起部分を適当な間隔をおいて複数具備させることにより、牛乳パック等を吊す向きを調整したうえで固定することができる。例えば、牛乳パックの注ぎ口はパックの上部の特定の方向に開けている形状をしているため、その部分が真下に来るように固定して干すことで、スムーズに水切りすることができるようになる。この際、突起物の長さは同じでも構わないが、長いものと短いものとを併せて用いることで、挿している途中に固定する向きを微調整することが可能となる。もちろん、複数の突起物または突起部分の間に充分な間隔を確保しておけば、それぞれの突起物または突起部分に異なる牛乳パック等を、つまり器具全体としては複数の牛乳パック等を同時に干すことができる器具を実現することができるのはいうまでもないことである。
【００２８】
突起物を構成する物質としては、通常、強度の充分な金属、特にステンレスなどを用いるのが効果的（刺さりやすい）であるが、安全性に配慮する場合には合成樹脂（プラスティック）など、敢えて強度が控えめな素材を選択することも可能である。
【００２９】
釘状の突起物が特定の方向（例えば、上方向）に折れ曲がる構造を採用することにより、非使用時に突起部分を折りたたんでおくことが可能となり、安全性の確保および一層の省スペース化を実現することが可能となる。
【００３０】
釘状の突起物の先端をカバーでガードし、該カバーに牛乳パックが押しつけられたと推定すべき条件が整ったときのみ、該カバーが外れるか凹むかして、該突起物にモノが刺さるようにしておけば、さらなる安全を確保することが可能となる。例えば、該突起物の先端よりも壁面から少し離れた位置に、壁面と並行する同じ平面上に、壁面方向の圧力に反応してロック解除機能をはたらかせる複数のロック解除スイッチを配置し、該ロック解除スイッチのうちの少なくとも複数のロック解除機能がはたらいた場合にのみカバーが外れるか凹むかするようにしておけば、牛乳パックを構成するひとつの面のごとき何かが押しつけられた場合のみに、突起物にモノが刺さる構造を実現することができる。さらに、この場合、このようにして一度外れるか凹むかした該カバーは、該牛乳パックが該突起物に刺さったまま放置されているあいだは、その外れるか凹むかした状態が維持され、該牛乳パックが取り除かれると速やかに元の位置に戻り、次に別の牛乳パックが刺されるまで待機する構造が与えられていることが望ましい。当業者でなくても些細な工夫によりこれらの構造を実現するための方法は幾らでも想起されるため、そのバリエーションの詳細の記述は省略する。
【００３１】
このように、創意工夫により、色々な形態の応用を考えることが可能であるが、場合によっては、本考案の最も基本的な構成において実現されている、必要最小限のシンプルさが犠牲になることもありうるため、実用化に当たっては利用者のニーズを見極めることが肝要である。
【考案の効果】
【００３２】
牛乳パック等を洗浄した直後の簡易かつ瞬間的な動作（該牛乳パック等の少なくとも重心よりも下に位置するいずれかの箇所を先端の尖った突起物に押しつけ、該突起物に該牛乳パック等をブスリと一発で突き刺して吊す一連の動作）により、開口部分を下に向け、なおかつこれを塞がない位置に該牛乳パック等を固定し、迅速に自然乾燥させることを可能とする。代表的な設置位置として、これを流し台の上方の壁面に設置した場合（牛乳パック等を洗浄するのは流し台での作業であることからもこの場所に設置することができれば最も望ましいことが多い）、洗浄して干した直後にポタポタと落ちてくる水滴をそのまま流し台の排水経路に合流させることが可能となり、該水滴が招きうる不潔さに頭を悩ませる必要もない。また、個々の構成については、課題を解決するための手段を説明するなかで説明された効果が期待される。
【考案を実施するための最良の形態】
【００３３】
本考案で示した器具の構造は極めてシンプルであり、かつ分かりやすいため、以上の記述をもとに具体的な実施例を構成するのは、当業者にとって、何ら困難を伴うものではない。以上の記述を繰り返すだけでも充分と思われるが、より具体的なサンプルを以下の通り示す。
【実施例】
【００３４】
まず、縦２ｃｍ、横１ｃｍの大きさにカットした厚さ２ｍｍのアクリル板の中央に、板面に対して垂直方向に直径１．５ｍｍの穴を開ける。これが本考案における基板部となる。長さ２．５ｃｍ、胴部の直径１．５ｍｍ、頭部の直径５ｍｍ、頭部厚さ０．２ｍｍの釘を準備する。これが本考案における突起部となる。さらに、使用時の厚さが１ｍｍ程度の両面粘着テープを準備し、該アクリル板と同じかやや小さいサイズにカットしておく（テープの端を使用時の貼り付け面と平行する方向に引っ張ることにより、テープが貼り付け面から剥がれやすくなるタイプのものを採用すれば、本考案の器具の使用終了または補修の際の処分をしやすくなる）。これらの準備を整えた後、該アクリル板の穴に、該釘を先端から差し込み、頭部が接触する位置まで挿入する。次にこの釘の頭部の上から被せるようにしてアクリル板に該両面粘着テープの片面を貼り付ける。予め清掃して油分などの汚れや水分などを取り除いてある、適当な場所（例えば、台所の流し台の上部）の壁面に両面テープの反対側の面を貼り付けることで、該アクリル板および該釘を壁面に固定する。このとき、アクリル板の長い方の辺（２ｃｍの長さの縦の辺）が左右に来るように、つまり縦長になるように設置する。これは、牛乳パック等を干している間中、器具に恒常的に作用する力が万有引力によるものであり、これに対する耐久性を確保するには、縦長に設置した方が望ましいためである（ただし、設置場所や美観などの理由により横長に設置した方が好ましい場合には、必ず縦長に設置しなければならないというわけではない）。通常は、その台所で処理する必要のある牛乳パック等の量に応じて、適当な間隔をおいて複数の器具を設置しておく。
【００３５】
なお、釘の頭部については、該頭部の厚さが貼り付ける両面粘着テープの厚さや柔軟性に対して充分に小さい場合には、わざわざ該頭部が収容される場所を確保するための措置を施さなくても、両面粘着テープが変形して収容空間が自然に確保されるため、工業的手続きが容易となる。またそうしておくことで、釘の頭部を押しつける圧力が余計にかかるため、釘が安定的に固定される利点もある。しかし、該頭部が厚すぎたり、該両面粘着テープの厚みや柔軟性、あるいは粘着力が不足していたりすれば、該基板部がうまく壁面に固定できない。この場合には、アクリル板に開けた穴の周囲にこの頭部が収容されるべき空間を確保するために頭部を収容できるのに必要充分な凹みを設ける必要がある（頭部の形状に合わせた領域に最大で頭部の厚さに匹敵する深さの凹みを設ける、ただし深さに関しては使用する両面粘着テープの性質次第で調整することが期待され、通常は頭部の厚さよりもやや浅めの凹みでよいはずである）。ただし、両面粘着テープが厚すぎたり柔らかすぎたり、釘の頭部の面積が小さすぎたり、またアクリル板に準備する凹みが深すぎたりすれば、釘がぐらついてしまうので、このあたりは必要に応じて調整することが求められる。
【００３６】
使用の際には、牛乳パック等を洗浄した後、その開口部（注ぎ口）を下に向けて開けたまま、その状態で上端に近い部分を当該器具の突起部の先端に押しつけ、ブスリと一発で突き刺し、その状態で放置する。該牛乳パック等の注ぎ口を、その内容物を注ぐときの通常の状態のままにしておく場合には、注ぎ口のコップなどに接触する出っ張った部分を壁面に向かわない方向（即ち、壁面と反対の方向、または壁面に沿う方向）に向けておいた方が、牛乳パック等を安定した姿勢で干すことができる。該牛乳パック等の注ぎ口を、その内容物を注ぐときの通常の状態のままにしておくのではなく、全て開いて四角柱状にしたうえで干すようにすれば、一層短時間で乾燥させることができるし、乾燥させた後に完全に開いて平面上に切り開く手続きも容易となる。気温や湿度や気流や日光の当たり具合などにもよるが、通常は一晩も干しておけば充分に乾燥した状態となる。
【図面の簡単な説明】
【００３７】
【図１】本考案使用状態を示す斜面図
【図２】本考案使用状態を示す側面図および正面図
【図３】頭部の広い釘の形状をした突起部を穴の空いた基板部によって粘着テープで壁面に固定したもの（側面図および正面図）
【図４】頭部の広い釘の形状をした突起部を穴の空いた基板部によって釘またはネジで壁面に固定したもの（側面図および正面図）
【図５】突起部と基板部が一体であるものを粘着材または接着剤で壁面に固定したもの（側面図および正面図）
【図６】突起部と基板部が一体であるものを釘またはネジで壁面に固定したもの（側面図および正面図）
【図７】頭部の広い釘の形状をした突起部または突起物を粘着テープで壁面に固定したもの（側面図および正面図）
【図８】突起部の一部（頭部に近い胴部の上側）に刃を具備させたもの（側面図および正面図）
【図９】突起部の一部（頭部に近い胴部の下側）に刃を具備させたもの（側面図および正面図）
【図１０】突起物または突起部の特定の箇所を指示する場合の用語を説明する図
【図１】
0003174271.tif 000003
【図２】
0003174271.tif 000004
【図３】
0003174271.tif 000005
【図４】
0003174271.tif 000006
【図５】
0003174271.tif 000007
【図６】
0003174271.tif 000008
【図７】
0003174271.tif 000009
【図８】
0003174271.tif 000010
【図９】
0003174271.tif 000011
【図１０】
0003174271.tif 000012
【手続補正書】
【提出日】平成23年11月24日(2011.11.24)
【手続補正１】
【補正対象書類名】実用新案登録請求の範囲
【補正対象項目名】全文
【補正方法】変更
【補正の内容】
【実用新案登録請求の範囲】
【請求項１】
空になった牛乳パック等を洗浄後に自然乾燥させるためのパック用自然乾燥器具であって、粘着材もしくは接着剤または釘もしくはネジで壁面に固定される板状の基板部と、該基板部に対して垂直方向に突起した先端が尖った棒状の突起部とを有し、該突起部へ洗浄後の牛乳パック等を突き刺したまま吊して放置することができるようにしたパック用自然乾燥器具。
【請求項２】
請求項１に記載されたパック用自然乾燥器具であって、該突起部が頭部の広い釘の形状をしていて、該突起部を、該基板部に開けた、該突起部の胴部を貫通させるのに必要充分な大きさの穴に貫通させ、該突起部の頭部を壁面に押しつけて固定する形となるように、該基板部を壁面に固定する構造を持つことを特徴とするパック用自然乾燥器具。
【請求項３】
請求項２に記載されたパック用自然乾燥器具であって、該基板部が、該穴自体の構造により該突起物の方向を固定することができる程度に、充分な厚みを持ち、充分に固い素材でできていることを特徴とするパック用自然乾燥器具。
【請求項４】
請求項２に記載されたパック用自然乾燥器具であって、該基板部が、片面に粘着材を具備した粘着テープであることを特徴とするパック用自然乾燥器具。
【請求項５】
請求項１〜４のいずれかに記載されたパック用自然乾燥器具であって、該突起部の少なくとも一部に刃が具備されていることを特徴とするパック用自然乾燥器具。
【手続補正２】
【補正対象書類名】明細書
【補正対象項目名】全文
【補正方法】変更
【補正の内容】
【考案の詳細な説明】
【技術分野】
【０００１】  本発明は、洗浄した使用済みの牛乳パック等を自然乾燥させるためのパック用自然乾燥器具に関する。
【背景技術】
【０００２】  今日の社会では、天然資源の有効活用を促進する必要により、使用済みの牛乳パック等（よく知られた紙製の牛乳パック、もしくはこれと同様の形状をした、主として液体、特に飲料を格納するための容器、またはペットボトル）を回収して再利用する「リサイクル」のしくみが確立されている。その最初の工程として、一般の消費者には、牛乳パック等の内部を洗浄し、乾燥させ、必要に応じて、なかを切り開いたり、包装材料を取り除いたりしたうえで、回収に応じるよう求められる。しかしながらこの工程を実施する者（代表的には家庭の主婦など）にとって、洗浄後の牛乳パック等を手際よく乾燥させるのは、意外に難しいことで、一般家庭の台所の例えば流し台の周囲が乾燥中の牛乳パック等で溢れかえるのはよくあることだった。これを効率よく乾燥させることができれば、流し台の周囲が大幅にスッキリと片付くはずであるが、空間を無駄に散らかすことなく、手間をかけずにこの手続きを処理することのできる決定的な方法は開発されてこなかった。【０００３】  牛乳パック等を乾燥させるための考案が生み出されたことは過去にもあった。例えば、特許文献１では、充分な長さの「容器挿入棒体」を上方向に垂直に立てて固定し、その上からリサイクル容器を被せるようにして乾燥させることのできるしくみが提示されている。この方法では、缶や瓶を含む大抵のリサイクル容器を手っ取り早く乾燥させることができるいっぽうで、容器の一つひとつを乾燥させるために、比較的大袈裟な設備を必要とし、そのために一定の空間を確保しなければならなかった。【０００４】  また特許文献２では、「水切り孔を有する基盤体に突起棒を設け、かつ壁面へ取り付ける手段を有する」しくみが提示されている。この方法では、特許文献１のものと同様、大抵のリサイクル容器に用いることはできるが、容器の開口部の大部分が塞がれてしまう場合も考えられるため、乾燥に時間を要するし、特許文献１の場合以上に多くの設備と空間を必要とする。【０００５】  さらに特許文献３では、「切り開いた牛乳パックの幅よりも、やや大きめの幅を有する風通しのよいかご」を壁面に固定し、カゴの全面に切り開いた牛乳パックを干すためのクリップを複数個備えた器具が提示されている。洗浄後に切り開いた牛乳パックを迅速に乾燥させ、その後保存しておく目的において、効果的に機能するものであると思われる。だが洗浄した直後の牛乳パックをいちいち切り開き、切り開いた牛乳パックの恐らく２箇所をクリップで挟まなくてはいけない工程は、意外と面倒だ。特に濡れた状態でハサミを入れて切り開こうとすると、ハサミが傷むのではないかと気になるし、実際には傷まなかったとしても、気持ち悪さの残る手続きではある。もちろん、まとめて処理しようとすると、汚れたまま乾燥してしまって、汚れが落ちにくくなったりして、本末転倒になる。【０００６】  そして特許文献４には、各種容器の開口部を下向きに固定することのできる器具に、物干し竿に吊り下げ可能なフックを備えさせたものが提示されている。しかし、容器を固定するのが面倒であるうえに、大袈裟な器具のために余計な空間を必要とするという問題はここでも同じように当てはまる。【０００７】  以上全ての考案に対して当てはまる問題は、容器を乾燥させるための器具が大掛かりであり、使用しないときにさえ非常に多くの空間を必要とするということだ。台所の流し台周りの貴重な台上スペースをわざわざこのために確保しておくのは勿体ない限りだ。もちろんこれらの器具を屋外など別の場所に設置することは可能であるが、恐らく台所仕事は可能な限り台所内で完結させたいというのが一般的な台所仕事従事者の心情であり、わざわざ別の場所まで干しにいかなければならないのは面倒極まりない。このように、従来は洗浄後の牛乳パック等を、手間をかけず、必要最小限の空間を利用して、自然乾燥させることを可能とする決定的な発明または考案は実現されてこなかった。
【先行技術文献】
【特許文献】
【０００８】
【特許文献１】特開２００２−２２３９２８
【特許文献２】特開２００２−１７６４９
【特許文献３】特開２００１−１７８６１４
【特許文献４】特開２００９−２２５８４６
【考案の概要】
【考案が解決しようとする課題】
【０００９】  本考案が解決しようとする課題は、先の背景技術のなかで説明された問題を解決することであり、洗浄後の牛乳パック等を、手間をかけず、必要最小限の空間を利用して、自然乾燥させることを可能とする、牛乳パック等乾燥用器具を実現することである。
【課題を解決するための手段】
【００１０】  請求項１に記載の考案は、空になった牛乳パック等を洗浄後に自然乾燥させるためのパック用自然乾燥器具であって、粘着材もしくは接着剤または釘もしくはネジで壁面に固定される板状の基板部と、該基板部に対して垂直方向に突起した先端が尖った棒状の突起部とを有し、該突起部へ洗浄後の牛乳パック等を突き刺したまま吊して放置することができるようにしたパック用自然乾燥器具である（図１、図２、図３、図４）。【００１１】  先端が尖った棒状の突起部（または先端が尖った釘状の突起物）を壁面に対して垂直に固定することは、発明を構成する重要な要件であり、そうしておくことで、牛乳パックのごとき表面の比較的固い素材のものを押しつけたときに、突起部（または突起物、以下同様）の先端が押しつけられた素材の表面を滑ったり、突起部を歪ませたりせず、片腕の必要充分な力で瞬時に突き刺すことでが可能となる。これがちゃんと垂直になっていないと、突起部がその表面を滑り、突起部をしならせながらこれにまっすぐ突き刺さるのとは別の成分の力がますます強くはたらくようになり、突起部を大きく歪ませてしまうことになる恐れがある。また力を加える方向を意識的に調整しようとしても、設計によっては突起部がクルクルと回転し、力を加えるべき方向とポイントがうまく定まらないなどの問題も生ずる（これを防ぐための工夫としては、突起部の頭部を円以外の形状、例えば四角形や三角形にしておくことや、頭部の壁面側に滑り止め材を具備させておくことなどが考えられる）。従って、完全な垂直は困難であるとしても、釘状の突起部は壁面に対し可能な限り垂直に固定されていることが望ましい。ただし、細部の設計においては、突き刺した牛乳パック等が滑り落ちるのを防止する目的において、一層充分な強度が確保される設計を選んだうえで、突起部の先端がここに記載した問題を発生させない程度に若干上方に向けておくことや、突起部の形状や姿勢に幾らかの工夫を加えること（例えば、該突起部が微妙なＳ字カーブを描いていて、頭部に近い胴部と先端に近い胴部を水平姿勢に、またその間の胴部中央のあたりが先端を幾分高く押し上げる方向に傾斜した姿勢に維持されるようにしておく。このとき突起部の素材として弾力を有するものを選んでおけば、胴部中央が牛乳パック等を突き刺す瞬間や抜き取る瞬間に若干のしなりを示し、気持ちよく突き刺さるまたは排除されるようにすることができる場合がある）も、設計上の選択肢としては視野に入る。それでも利用者の牛乳パック等を突き刺そうとしたり抜き取ろうとしたりするときの力がスムーズに作用するためには、突起部全体が壁面に対しほぼ垂直と見做すことができる姿勢を維持していることが不可欠な要件となる。なお、このことは請求項２〜５に記載の全ての考案に該当する事柄であるが、以下の文中での繰り返しは省略する。【００１２】  請求項２〜４に記載の考案も、請求項１に記載の考案を実現する細部の構造をさらに特定したものであり、そこでは、突起部と基板部が別々の部品として存在し、これらの部品を組み合わせることによって目的とする器具を構成することが想定されているが、最初から基板部と突起部を具備する一体の構造物として形成されたものを壁面に固定することによって同等の機能を有する器具を実現することも可能である（図５、図６）【００１３】  請求項２に記載の考案は、請求項１に記載されたパック用自然乾燥器具であって、該突起部が頭部の広い釘の形状をしていて、該突起部を、該基板部に開けた、該突起部の胴部を貫通させるのに必要充分な大きさの穴に貫通させ、該突起部の頭部を壁面に押しつけて固定する形となるように、該基板部を壁面に固定する構造を持つことを特徴とするパック用自然乾燥器具である。このとき、「頭部の広い釘の形状」をした突起部の「頭部」、「胴部」、「先端」の用語は、釘の一部を特定する一般的な用語に準ずるものである（図１０、他の請求項にかかわる説明のなかでこれらの用語が使用されている場合も同様とする）。【００１４】  なお請求項２に記載の考案は、請求項１に記載の考案を実施するための、より具体的な構造を特定した、最もシンプルな形態のひとつである（請求項１に記載の考案を実施する構造としては、他にも幾らでも考えられるが（例えば２枚の基板を併せた構造物の間に釘状の突起物の頭部を収容する形態など）、そうした構造を考案すること自体は当業者にとって容易な手続きであるため、ここでの記述は省略する）。【００１５】  具体的な設計においては、釘状の突起物の頭部をぴったりと固定するために、必要に応じて、該基板部の壁面に固定される側の穴の周囲の箇所に、該頭部を収容するのに必要充分な深さと広さだけ削っておくなどの工夫が期待される。また少し余計に削ったうえで、間にゴムなどの弾力素材を挟み込むようにする方法もありうる。【００１６】  請求項３に記載の考案は、請求項２に記載されたパック用自然乾燥器具であって、該基板部が、該穴自体の構造により該突起物の方向を固定することができる程度に、充分な厚みを持ち、充分に固い素材でできていることを特徴とするパック用自然乾燥器具である。【００１７】  このとき、該基板部に強度（特に固さ）が充分な素材（アクリル等）を使用すること、該基板部の厚みを充分に確保すること、該基板部に開ける穴を該突起物の胴部を貫通させるのに必要充分な大きさにしておくこと、及び釘状の突起物として頭部の広いものを使用すること（設計次第であるが、必ずしもこれらの条件の全てが満たされる必要はない）の意義は、必ずしも垂直でない方向の力で指す場合であっても、突起物の軸の方向とは違った成分の力が混ざっていることにより、釘状の突起物が歪んでしまうのを防止するためである。というのも、突起物の方向が力がかかる最初の瞬間に歪み始めることで、次の瞬間以降は、突起物の軸と同じでない方向にはたらく力の成分がますます大きくなるため、一定の歪みが生じるよりも先に、突起物の先端が牛乳パック等の表面素材を貫通することが必要だからである。【００１８】  請求項４に記載の考案は、請求項２に記載されたパック用自然乾燥器具であって、該基板部が、片面に粘着材を具備した粘着テープであることを特徴とするパック用自然乾燥器具である（図７）。【００１９】  この考案の最大の利点は、目的とする器具を容易かつ即席の材料で実現することができる点にある。例えば、頭部の広い釘の形状をした突起部（例えば、大頭釘や馬鹿でかい画鋲）のうえから、強度が充���な粘着テープを貼り付けるだけで容易に実現できる（突起部の先端が尖っていることを利用して、粘着テープに穴を開けてそのまま押しつけて壁に貼り付ければよく、粘着テープは空っぽの牛乳パック等の重みで穴が広がらない程度の強度があれば充分だ）。粘着テープの強度に問題がある場合は、穴が広がらない程度の強度がある薄い素材を、適度な大きさに切り取られた粘着テープの中央部に貼り付け、突起部がこれを貫くようにして設置することもできる（粘着テープが突起部の面積の広い頭部にも粘着することを考慮すれば、通常この構造は必要ではなく、むしろ逆効果になる場合もある）。【００２０】  このとき（これは設計次第で請求項１〜３においても該当するが、特に請求項４に強く当てはまることとして）、釘状の突起物の頭部の壁面に面する側の表面に、さらに粘着材や滑り止め素材を具備すると、効果的に機能する場合がある。牛乳パック等を壁面に対して必ずしも真っ直ぐに垂直でない方向の力で刺そうとしたとき、垂直方向の力を差し引いた力の成分が、突起物またはその頭部を壁面に対して水平方向に滑らせる力がはたらき、該突起物を固定するための基板素材の強度が充分でない場合には、これを破損させてしまう恐れがある。こうしたとき、該粘着材や滑り止め素材が摩擦力などにより、該突起物またはその頭部を滑らせる力を吸収し、安定した状態で刺すことが可能となる。【００２１】  請求項５に記載の考案は、請求項１〜４のいずれかに記載されたパック用自然乾燥器具であって、該突起部の少なくとも一部に刃が具備されていることを特徴とするパック用自然乾燥器具である（図８、図９）。【００２２】  釘状の突起物の少なくとも一部（例えば、皿に近い部分の特定の側面）に刃を具備させておくと、根本まで挿した牛乳パック等を挿した箇所からそのまま切り開いていくことができるようにすることもできる。ただし、この際には突起物の軸に対して垂直方向の力を加えることになるので、充分な強度を確保するために、素材や形状などの面での工夫が必要となる。また単なる釘状の突起物よりも、その側面の少なくとも一部が刃になっているもののほうがはるかに危険なので、安全面での一層の配慮も必要となる。さらに、このようにしておくことにより、食品などの包装容器でハサミを使わなければうまく開けられないものを突き刺し、引き裂くことで、これをうまく開封する、という目的においても利用することができる。これは本発明の直接的な課題からそれるように思われるかもしれないが、同一の器具を複数の目的で兼用できるようにしておくことは、台所のなかの限られたスペースを有効に活用するうえで極めて重大な意義を有する。他にも、牛乳パックを干していないときに、例えばこの器具を用いて一夜干しにした食品を、その場で適当な大きさにカットするなど、本来であれば包丁とまな板を用いて実施する簡単な作業を、これらの器具を使わずにこなすことができる、など、工夫次第で本考案に記載された器具を応用した様々な使用例が生み出されるであろうことが推測される。【００２３】  なお本考案を具体的に実現するに当たっては、細部において幾つかの工夫を施す余地がある。【００２４】  突き刺した牛乳パック等が、風圧や振動などの影響を受け、意図せぬタイミングで抜け落ちないように、釘状の突起物の一部または全部に、滑り止め処理を施しておくといった工夫を加えることも可能である。滑り止め処理には様々な方法を適用しうるものであり、例えば、ざらざら或いはぎざぎざとした小さな凹凸を与える方法のほか、必要に応じて突起物の一部に凹みを準備したうえで、滑り止め効果のある別の素材（例えば、ゴム、シリコン、各種樹脂等）を付着させる方法を適用することも可能である。このような加工が面倒な場合は、ここに用いる釘をスクリュー釘に変えるだけでも一定の滑り止め効果が期待できる。ただしこの設計を採用する場合には、利用者が牛乳パック等を突き刺す力や抜き取る力が余計に必要となる可能性があることや、抜き取るときの力で壁面に対する基板部の固定が緩んでしまったり外れてしまったりしないように充分な強度をもって固定されている必要があること、などを考慮する必要がある。【００２５】  突起物または突起部分を適当な間隔をおいて複数具備させることにより、牛乳パック等を吊す向きを調整したうえで固定することができる。例えば、牛乳パックの注ぎ口はパックの上部の特定の方向に開けている形状をしているため、その部分が真下に来るように固定して干すことで、スムーズに水切りすることができるようになる。この際、突起物の長さは同じでも構わないが、長いものと短いものとを併せて用いることで、挿している途中に固定する向きを微調整することが可能となる。もちろん、複数の突起物または突起部分の間に充分な間隔を確保しておけば、それぞれの突起物または突起部分に異なる牛乳パック等を、つまり器具全体としては複数の牛乳パック等を同時に干すことができる器具を実現することができるのはいうまでもないことである。【００２６】  突起物を構成する物質としては、通常、強度の充分な金属、特にステンレスなどを用いるのが効果的（刺さりやすい）であるが、安全性に配慮する場合には合成樹脂（プラスティック）など、敢えて強度が控えめな素材を選択することも可能である。【００２７】  釘状の突起物が特定の方向（例えば、上方向）に折れ曲がる構造を採用することにより、非使用時に突起部分を折りたたんでおくことが可能となり、安全性の確保および一層の省スペース化を実現することが可能となる。【００２８】  釘状の突起物の先端をカバーでガードし、該カバーに牛乳パックが押しつけられたと推定すべき条件が整ったときのみ、該カバーが外れるか凹むかして、該突起物にモノが刺さるようにしておけば、さらなる安全を確保することが可能となる。例えば、該突起物の先端よりも壁面から少し離れた位置に、壁面と並行する同じ平面上に、壁面方向の圧力に反応してロック解除機能をはたらかせる複数のロック解除スイッチを配置し、該ロック解除スイッチのうちの少なくとも複数のロック解除機能がはたらいた場合にのみカバーが外れるか凹むかするようにしておけば、牛乳パックを構成するひとつの面のごとき何かが押しつけられた場合のみに、突起物にモノが刺さる構造を実現することができる。さらに、この場合、このようにして一度外れるか凹むかした該カバーは、該牛乳パックが該突起物に刺さったまま放置されているあいだは、その外れるか凹むか���た状態が維持され、該牛乳パックが取り除かれると速やかに元の位置に戻り、次に別の牛乳パックが刺されるまで待機する構造が与えられていることが望ましい。当業者でなくても些細な工夫によりこれらの構造を実現するための方法は幾らでも想起されるため、そのバリエーションの詳細の記述は省略する。【００２９】  このように、創意工夫により、色々な形態の応用を考えることが可能であるが、場合によっては、本考案の最も基本的な構成において実現されている、必要最小限のシンプルさが犠牲になることもありうるため、実用化に当たっては利用者のニーズを見極めることが肝要である。
【考案の効果】
【００３０】  牛乳パック等を洗浄した直後の簡易かつ瞬間的な動作（該牛乳パック等の少なくとも重心よりも下に位置するいずれかの箇所を先端の尖った突起物に押しつけ、該突起物に該牛乳パック等をブスリと一発で突き刺して吊す一連の動作）により、開口部分を下に向け、なおかつこれを塞がない位置に該牛乳パック等を固定し、迅速に自然乾燥させることを可能とする。代表的な設置位置として、これを流し台の上方の壁面に設置した場合（牛乳パック等を洗浄するのは流し台での作業であることからもこの場所に設置することができれば最も望ましいことが多い）、洗浄して干した直後にポタポタと落ちてくる水滴をそのまま流し台の排水経路に合流させることが可能となり、該水滴が招きうる不潔さに頭を悩ませる必要もない。また、個々の構成については、課題を解決するための手段を説明するなかで説明された効果が期待される。
【考案を実施するための最良の形態】
【００３１】  本考案で示した器具の構造は極めてシンプルであり、かつ分かりやすいため、以上の記述をもとに具体的な実施例を構成するのは、当業者にとって、何ら困難を伴うものではない。以上の記述を繰り返すだけでも充分と思われるが、より具体的なサンプルを以下の通り示す。
【実施例】
【００３２】  まず、縦２ｃｍ、横１ｃｍの大きさにカットした厚さ２ｍｍのアクリル板の中央に、板面に対して垂直方向に直径１．５ｍｍの穴を開ける。これが本考案における基板部となる。長さ２．５ｃｍ、胴部の直径１．５ｍｍ、頭部の直径５ｍｍ、頭部厚さ０．２ｍｍの釘を準備する。これが本考案における突起部となる。さらに、使用時の厚さが１ｍｍ程度の両面粘着テープを準備し、該アクリル板と同じかやや小さいサイズにカットしておく（テープの端を使用時の貼り付け面と平行する方向に引っ張ることにより、テープが貼り付け面から剥がれやすくなるタイプのものを採用すれば、本考案の器具の使用終了または補修の際の処分をしやすくなる）。これらの準備を整えた後、該アクリル板の穴に、該釘を先端から差し込み、頭部が接触する位置まで挿入する。次にこの釘の頭部の上から被せるようにしてアクリル板に該両面粘着テープの片面を貼り付ける。予め清掃して油分などの汚れや水分などを取り除いてある、適当な場所（例えば、台所の流し台の上部）の壁面に両面テープの反対側の面を貼り付けることで、該アクリル板および該釘を壁面に固定する。このとき、アクリル板の長い方の辺（２ｃｍの長さの縦の辺）が左右に来るように、つまり縦長になるように設置する。これは、牛乳パック等を干している間中、器具に恒常的に作用する力が万有引力によるものであり、これに対する耐久性を確保するには、縦長に設置した方が望ましいためである（ただし、設置場所や美観などの理由により横長に設置した方が好ましい場合には、必ず縦長に設置しなければならないというわけではない）。通常は、その台所で処理する必要のある牛乳パック等の量に応じて、適当な間隔をおいて複数の器具を設置しておく。【００３３】  なお、釘の頭部については、該頭部の厚さが貼り付ける両面粘着テープの厚さや柔軟性に対して充分に小さい場合には、わざわざ該頭部が収容される場所を確保するための措置を施さなくても、両面粘着テープが変形して収容空間が自然に確保されるため、工業的手続きが容易となる。またそうしておくことで、釘の頭部を押しつける圧力が余計にかかるため、釘が安定的に固定される利点もある。しかし、該頭部が厚すぎたり、該両面粘着テープの厚みや柔軟性、あるいは粘着力が不足していたりすれば、該基板部がうまく壁面に固定できない。この場合には、アクリル板に開けた穴の周囲にこの頭部が収容されるべき空間を確保するために頭部を収容できるのに必要充分な凹みを設ける必要がある（頭部の形状に合わせた領域に最大で頭部の厚さに匹敵する深さの凹みを設ける、ただし深さに関しては使用する両面粘着テープの性質次第で調整することが期待され、通常は頭部の厚さよりもやや浅めの凹みでよいはずである）。ただし、両面粘着テープが厚すぎたり柔らかすきたり、釘の頭部の面積が小さすぎたり、またアクリル板に準備する凹みが深すぎたりすれば、釘がぐらついてしまうので、このあたりは必要に応じて調整することが求められる。【００３４】  使用の際には、牛乳パック等を洗浄した後、その開口部（注ぎ口）を下に向けて開けたまま、その状態で上端に近い部分を当該器具の突起部の先端に押しつけ、ブスリと一発で突き刺し、その状態で放置する。該牛乳パック等の注ぎ口を、その内容物を注ぐときの通常の状態のままにしておく場合には、注ぎ口のコップなどに接触する出っ張った部分を壁面に向かわない方向（即ち、壁面と反対の方向、または壁面に沿う方向）に向けておいた方が、牛乳パック等を安定した姿勢で干すことができる。該牛乳パック等の注ぎ口を、その内容物を注ぐときの通常の状態のままにしておくのではなく、全て開いて四角柱状にしたうえで干すようにすれば、一層短時間で乾燥させることができるし、乾燥させた後に完全に開いて平面上に切り開く手続きも容易となる。気温や湿度や気流や日光の当たり具合などにもよるが、通常は一晩も干しておけば充分に乾燥した状態となる。
【図面の簡単な説明】
【００３５】
【図１】本考案使用状態を示す斜面図
【図２】本考案使用状態を示す側面図および正面図
【図３】頭部の広い釘の形状をした突起部を穴の空いた基板部によって粘着テープで壁面に固定したもの（側面図および正面図）
【図４】頭部の広い釘の形状をした突起部を穴の空いた基板部によって釘またはネジで壁面に固定したもの（側面図および正面図）
【図５】突起部と基板部が一体であるものを粘着材または接着剤で壁面に固定したもの（側面図および正面図）
【図６】突起部と基板部が一体であるものを釘またはネジで壁面に固定したもの（側面図および正面図）
【図７】頭部の広い釘の形状をした突起部または突起物を粘着テープで壁面に固定したもの（側面図および正面図）
【図８】突起部の一部（頭部に近い胴部の上側）に刃を具備させたもの（側面図および正面図）
【図９】突起部の一部（頭部に近い胴部の下側）に刃を具備させたもの（側面図および正面図）
【図１０】突起物または突起部の特定の箇所を指示する場合の用語を説明する図